(57)【要約】【課題】  公衆便所の使用者が便器に対して適正な立ち位置又は座り位置で用便を行うことを強いる作用が発揮され、小水や水洗水が跳ね上がりにくくなって、清掃頻度を増やさずに便所の清潔感を保つことが可能な便所の足置き台を提供する。【解決手段】  便器設置箇所の適正シフト位置に設置される平板状のベース体１の表面に、互いに沿って延びる複数条のリブ３と両端が開放された溝条４とを有する足置き構造体２が一体に備わっている。足置き構造体２が、便器から飛散した液体の跳ね上がりを抑制する作用を発揮する。清掃時に流した水は溝条４に溜まらずに排出される。【選択図】        図１
0003126231.tif 000002
【実用新案登録請求の範囲】
【請求項１】
便器設置箇所の適正シフト位置に設置される平板状のベース体の表面に、互いに沿って延びる複数条のリブの相互間に溝条が形成されてそれらの溝条の両端が開放されている足置き構造体が備わっていることを特徴とする便所の足置き台。
【請求項２】
上記足置き構造体は、その溝条の溝幅及び溝深さが、便器から飛散した液体の跳ね上がりを抑制する作用を発揮し、かつ、清掃に使用する水の流れを許容する寸法を備えている請求項１に記載した便所の足置き台。
【請求項３】
上記ベース体と上記足置き構造体とが一体に成形されていて、そのベース体が便器設置箇所の床表面に重ね合わされて設置されるようになっている請求項１又は請求項２に記載した便所の足置き台。
【請求項４】
上記ベース体と上記足置き構造体とが一体に成形されていて、そのベース体が、便器設置箇所の下地材に設置されている床材パネルに並べて設置可能で、かつ、その床材パネルと同一サイズに形成されている請求項１又は請求項２に記載した便所の足置き台。
【考案の詳細な説明】
【技術分野】
【０００１】
本考案は、便所の足置き台、特に、公衆便所などの使用者が便器に対する適正な立ち位置又は座り位置で用便を行うようになり、しかも、便所を清潔に保って気持ちよく使用することができるようにすることのために有益な便所の足置き台に関する。
【背景技術】
【０００２】
便所、特に不特定の人が共用している公衆便所では、便器から飛散したりこぼれたりした小水で床面が濡れていたりすることが多々あり、そのようなときには使用者が不快感を感じて使用を躊躇したりすることがあり、また、不快感を我慢したまま使用せざるを得なかったりすることがある。
【０００３】
そこで、このような状況が生じることをできるだけ避けるために、従来は、便所の清掃を頻繁に行うという対策を講じることもあったが、そのように清掃頻度を高めると、それだけ人件費が嵩むという事態を避けることができなくなる。また、公衆便所の清掃はその床面に水を流して洗浄するという方法によるので、清掃直後には、床面が水で濡れたり床面に水溜まりができていたりして、使用者にとってはその水でズボンの裾を濡らしたりする心配があるほか、水で濡れた床面上を歩行するときのべちょべちょした不快感を拭い去ることができない。
【０００４】
一方、用便時に使用者が腰を屈めることを要する和式便所については、腰を屈めているときに使用者に無理な荷重が掛かりにくくするための対策として、平板部の後位に足の踵を載置することのできる膨出部を形成してなる踏み台を便器に両側に設置することが提案されている（たとえば、特許文献１参照）。そして、この特許文献１には、上記平板部の表面に溝形に形成して使用者が足を滑らせないようにするための対策を講じることが開示されている。
【０００５】
また、便所の床面の汚れを防止するための床面保護シートについての提案や、便器設置箇所の床に直接に敷き詰めたり、あるいは、便器設置箇所の敷物の上に敷き詰めることのできる便所用簡易交換マットについての提案も、従来よりなされている（たとえば、特許文献２、特許文献３参照）。
【０００６】
【特許文献１】特開２００４−３３７２２５号公報（図１〜４、図１２）
【特許文献２】特開平８−３２３９２８号公報
【特許文献３】特開２００３−３３４１４９号公報
【考案の開示】
【考案が解決しようとする課題】
【０００７】
ところで、特許文献２に記載されている床面保護シートは、吸水性シートの性質を利用して、便器から飛散した小水や水洗液を吸収させることにより、それらの小水や水洗液で床面が汚れるのを防ぐというものであって、所謂使い捨てに適すると考えられる。このため、駅や百貨店といった多数の人が利用する場所の公衆便所に採用することには経済面や清掃の便宜（メンテナンス）に関して抵抗があると云わざるを得ない。また、特許文献３に記載されている便所用簡易交換マットについても同様のことが云える。
【０００８】
これらの各特許文献での提案に対し、特許文献１の踏み台は、樹脂で安価に一体成形することが可能であり、水を流すことによる清掃も可能であると考えられるため、公衆便所での便器の設置箇所で使用すると、経済性に優れ、しかも、使用者の立ち位置や座り位置をその踏み台で規制することが可能であるために、その限りにおいて、公衆便所に好適に使用することができるということが云える。
【０００９】
しかしながら、特許文献１の踏み台は、後位に膨出部が形成されている平板部に、その膨出部に一端が突合せ状に位置している多数のリブを間隔を隔てて形成してあるので、公衆便所の便器設置箇所に設置して清掃時に水を流すと、その水がリブ相互間の溝から排出されずに上記膨出部に突き当たってその溝内に汚れと共に溜まってしまってなかなか乾燥しなかったり、乾燥した後に汚れだけが残ってしまうという衛生面での問題がある。また、この踏み台の平板部に備わっている多数のリブは、使用者が足を滑らせないようにするための滑り止めとしての機能を発揮するに過ぎず、便器から飛散した小水や水洗水が平板部に落下したときに、それらが平板部に衝突することによる跳ね上がりを防ぐ作用を発揮するか否かが不明であるので、小水や水洗水の跳ね上がりによって使用者がズボンの裾を濡らしてしまって不快感を感じるおそれが多分にある。さらに、不特定多数の人が使用する公衆便所では、この踏み台に備わっている膨出部に足がつまずくという危険を伴うおそれもある。
【００１０】
本考案は以上の状況の下でなされたものであり、公衆便所などの使用者が便器に対する適正な立ち位置又は座り位置で用便を行うようになるという作用を発揮することは勿論、清掃時に流した水が溜まらないような対策や乾燥後に汚れが残らないような対策を講じることによって、清掃後の乾燥時間が短く抑えられ、便所が清潔に保たれて、使用者が不快感を生じずに用便を行うことのできる便所の足置き台を提供することを目的とする。
【００１１】
また、本考案は、使用中の便器から飛散した小水や水洗水の跳ね上がりを抑えて使用者のズボンの裾が濡れないようにすることのできる便所の足置き台を提供することを目的とする。
【００１２】
さらに、本考案は、既設の公衆便所に対して容易に設置することが可能であり、また、新築の公衆便所に対してはその足置き台と一体化した床材パネルとして利用することのできる便所の足置き台を提供することを目的とする。
【課題を解決するための手段】
【００１３】
本考案に係る便所の足置き台は、便器設置箇所の適正シフト位置に設置される平板状のベース体の表面に、互いに沿って延びる複数条のリブの相互間に溝条が形成されてそれらの溝条の両端が開放されている足置き構造体が備わっている。ここで、上記の「適正シフト位置」とは、便器に対する使用者の立ち位置又は座り位置に相当していて、使用者が立って用便したり座って用便したりするときの使用者の適正な足の位置を意味している。
【００１４】
この構成であると、便器設置箇所の適正シフト位置に設置された当該足置き台の上に足を置くだけで、使用者が便器に対する適正位置で用便することができるようになり、小水が便器からこぼれ出たりすることが自然に抑制され、そのことが、便所の清潔感を保つことに役立つ。また、清掃時には、当該足置き台の上に流した水が足置き構造体の両端が開放されている溝条から排出されるため、その水が溝条に溜まったりすることがなくなり、そのことが、水の乾燥を速めることに役立ち、しかも、乾燥後に汚れが残るという事態を避けることにも役立つ。特に、溝条を形成している複数条のリブが互いに沿って延びているために、清掃ブラシなどで擦って汚れを落とすときでも、その清掃ブラシでスムーズに溝条の内面を擦ることができるようになって清掃作業を楽に行えるという利点がある。
【００１５】
本考案において、上記足置き構造体は、その溝条の溝幅及び溝深さが、便器から飛散した液体の跳ね上がりを抑制する作用を発揮し、かつ、清掃に使用する水の流れを許容する寸法を備えていることが望ましい。この構成を考慮して採用することより、便器から飛散した小水や水洗水などの液体が当該足置き台の上に落下しても、溝条を形作っているリブの作用によってその液体の跳ね上がりが抑制されて使用者のズボンの裾が濡れるという事態が起こりにくい。また、水を流して清掃するときにも、その水が溝条内で溜まるという事態が防止される。
【００１６】
本考案にあっては、上記ベース体と上記足置き構造体とが一体に成形されていて、そのベース体が便器設置箇所の床表面に重ね合わされて設置されるようになっているものであっても、上記ベース体と上記足置き構造体とが一体に成形されていて、そのベース体が、便器設置箇所の下地材に設置されている床材パネルに並べて設置可能で、かつ、その床材パネルと同一サイズに形成されているものであってもよい。このうち、前者は、既設の公衆便所に対して容易に設置することができるという利便性があり、後者は、新築の公衆便所に対し足置き台と一体化した床材パネルとして利用することができるという利便性がある。
【考案の効果】
【００１７】
以上のように、本考案に係る便所の足置き台は、公衆便所などの使用者が便器に対して適正な立ち位置又は座り位置で用便を行うことを強いる作用を発揮することは勿論、清掃時に流した水が溜まらず、汚れも残らなくなり、しかも、清掃ブラシで擦るときにもその作業を楽に短時間で行うことができるようになる。したがって、清掃頻度を増やさずに便所の清潔感を保ちやすくなって便所を清潔に保つための人件費を節約することができるだけでなく、使用者が不快感のために便所使用を止めたり、不快感を持ったまま便所を使用するという事態か起こりにくくなるという効果が奏される。
【００１８】
また、足置き構造体の溝条の溝幅や溝深さの寸法を適切に定めるだけで、使用中の便器から飛散した小水や水洗水の跳ね上がりが抑えられて使用者のズボンの裾が濡れないようになるので、使用者が安心して気持ちよく便所を使用することができるようになるという効果も発揮される。
【００１９】
その他、既設の公衆便所に対して容易に設置することが可能であることは勿論、新設の公衆便所に対してはその足置き台と一体化した床材パネルとして違和感なく利用することができるという効果も奏される。
【考案を実施するための最良の形態】
【００２０】
図１は本考案の実施形態に係る足置き台Ａの平面図、図２は図１のＩＩ矢視方向から見た拡大正面図、図３は図１の足置き台Ａの裏面図、図４は図１のＩＶ−ＩＶ線に沿う部分の拡大断面図である。
【００２１】
この足置き台Ａは、小判形平板状のベース体１の表面側に、間隔を隔てて互いに沿うようにベース体１の長手方向に延びる複数条のリブ３…を有していることに加えて、相隣接するリブ３の相互間に溝条４が形成されている。この足置き台Ａにおいて、複数条のリブ３…とそれらのリブ３…の相互間の溝条４とは、ベース体１の表面に備わっている足置き構造体２を形成していて、この足置き構造体２がベース体１と共に合成樹脂で一体成形されて、足置き台Ａにある程度の柔軟性が付与されている。図１又は図２のように、上記足置き構造体２の溝条４はその両端が開放されていることを要する。当該足置き台Ａを成形するための合成樹脂には、撥水性に優れて汚れの付着しにくい性質を備える種類のものを選択することが好ましい。また、ベース体１の裏面には、図３のように多数の溝５が平行に形成されている。この溝５は、上記したリブ３と直交する方向に延びているので、この溝５を形成することによってベース体１が折れ曲がり箇所から容易に破断されてしまうという事態の起こることはない。
【００２２】
この足置き台Ａは、便器設置箇所の適正シフト位置に設置される。適正シフト位置の意味は既述したとおりである。足置き台Ａの設置には、ベース体１の裏面を便器設置箇所の床面や下地材に接着剤で貼り付けたり、ビスや釘などの止具を用いて固着したりすることが可能である。そこで、この実施形態では、接着剤による貼付方法と止具による貼付方法とを必要に応じて適宜選択することができるようにするために、ベース体１の周囲複数箇所に止具挿入孔１１を具備させてある。その場合に、止具挿入孔１１には、止具の頭部がベース体１の表面に突き出さないようにする径大部１２を具備させて使用時の安全性を高めてある。
【００２３】
図５〜図１３はそれぞれ図１の足置き台Ａに対する異なる変形例の平面図である。このうち、図５の変形例は、足置き構造体２のリブ３と溝条４とを、ベース体１の長手方向に対して傾斜させてある事例である。図６の変形例は、ベース体１の幅寸法を、長手方向で一端部を広く他端部を狭くした事例である。図７の変形例は、足置き構造体２のリブ３と溝条４とを同心の円弧状に形成した事例である。図８の変形例は、ベース体１の幅方向片側を一部側方に張り出させた形状とした事例である。図９の変形例は、ベース体１を略矩形の基本形状としてその１つのコーナ部を斜めに形成した事例である。図１０の変形例は、足置き構造体２のリブ３と溝条４とを、ベース体１の長手方向に対して傾斜させてあると共に、ベース体１を略矩形の基本形状としてその１つのコーナ部を円弧状に形成し、かつ、長手方向で一端部を広く他端部を狭くし、さらに、ベース体１の幅寸法を、長手方向で一端部を広く他端部を狭くした事例である。図１１の変形例は、足置き構造体２のリブ３と溝条４とを、ベース体１の長手方向に対して傾斜させてあると共に、ベース体１を略矩形の基本形状としてその２つのコーナ部を円弧状に形成した事例である。図１２の変形例は、幅広のベース体１の一辺の中央を凹入状に形成した事例である。図１３の変形例は、幅広のベース体１の一辺の中央を凹入状に形成した上で、左右対象に横長のリブ３と溝条４とを形成した事例である。
【００２４】
図１４は上記した足置き台Ａの設置状態を例示した平面図である。この事例は、公衆便所の壁面に沿って男子用の便器Ｔが並べて設置されている場合に、個々の便器Ｔの設置箇所ごとに、便器Ｔを挟む両側の床面上の適正シフト位置に小判形のベース体１を備える足置き台Ａを設置した事例である。図１４において、足置き台Ａには、図１〜図１１に示したものを適宜置き換えて採用することができる。
【００２５】
図１５及び図１６は上記した足置き台Ａの設置状態を例示した平面図である。このうち、図１５は、図８を参照して説明した足置き台Ａを、和式の便器Ｔを挟む両側の適正シフト位置に設置した事例である。また、図１６は、和式の便器Ｔを挟む両側の適正シフト位置に小判形のベース体１を備える足置き台Ａを設置した事例である。図１６の足置き台Ａには、図１〜図１１に示したものを適宜置き換えて採用することができる。
【００２６】
図１７は図１２を参照して説明した足置き台Ａを、様式の便器Ｔの根元の適正シフト位置に設置した事例であり、この足置き台Ａは、図１３を参照して説明した足置き台Ａに置き換えることが可能である。
【００２７】
図１８は公衆便所の壁面に男子用の便器Ｔが設置されている場合に、便器Ｔの設置箇所の適正シフト位置に図１３の足置き台Ａを設置した事例である。図１８において、足置き台Ａは、図１２を参照して説明した足置き台Ａと置き換えることが可能である。
【００２８】
図１〜図１３を参照して説明したそれぞれの足置き台Ａにおいて、足置き構造体２の溝条４の溝幅及び溝深さは、便器Ｔから飛散した小水や水洗水などの液体の跳ね上がりを抑制する作用を発揮し、かつ、清掃に使用する水の流れを許容する寸法を備えている。すなわち、便器Ｔから小水や水洗水などの液体が飛散して足置き台Ａの上に落下したとしても、その液体の跳ね上がりがリブ３により抑制される。しかも、足置き台Ａの上に落下した液体は、溝条４の中に溜まるので、使用者の靴の底やズボンの裾にその液体が付着するという事態も起こりにくくなる。したがって、使用者が安心して衛生的に用便を行うことができる。
【００２９】
具体的な溝幅寸法（隣接リブ３の頂部間ピッチ）は３〜５０ｍｍ、好ましくは１２ｍｍに定めてあり、具体的な溝深さ寸法は２〜３０ｍｍ、好ましくは１０ｍｍに定めてあって、溝形状は図２のように溝低に近づくほど幅狭となる形状に定められている。溝条４の溝幅及び溝深さがこのように定められていると、便器Ｔから飛散した小水や水洗水などの液体の跳ね上がりが抑制されて使用者の靴の底やズボンの裾が液体で濡れたり汚れたりすることが少なくなる。
また、清掃時に流した水が溝条４の両端の開放部分から排出されるために、その水が溜まったままになったりするおそれが少なくなって汚れも残らなくなり、清掃後に短時間で足置き台Ａが乾燥するという利点がある。特に、足置き構造体２が多数条のリブ３とその相互間の溝条４とによって形成されてその表面が凹凸状になって表面積を増大させているので、その表面を濡らした液体が乾燥しやすいという利点がある。清掃ブラシで擦って汚れを落とすときにも、清掃ブラシを溝条４に沿って擦ることによってその作業を楽に短時間で行うことができるようになる。
なお、ベース体１の形状は図例に限定されず、そのサイズも使用者の靴で乗ることのできるサイズであればよい。
また、ベース体１の裏面の形状は上記図３の形状に限定されるものでなく、細かい凹凸や種々の溝条を形成したものなど、足置き台Ａの設置床面に対して滑りにくく且つ、載置容易性を有するもので有ればその形状は問わない。また、このベース体１の裏面に弾力性や柔軟性に富むものを貼り付けて足置き台Ａを床面に設置してもよい。
【００３０】
上記足置き台Ａは合成樹脂で一体成形により形成されているが、この足置き台Ａの材質を合成樹脂でなく、たとえば、耐蝕アルミニュウム、ステンレス、特殊合金など種々の材質で形成してもよい。
【００３１】
以上説明した足置き台Ａにおいて、ベース体１は、便器設置箇所の床表面に重ね合わせて貼着による方法や止具を用いる固定方法を採用してその床面上に設置することが可能である。このものは、既設便所に事後的に足置き台Ａを設置する場合に有益である。また、ベース体１を床材パネルと同一のサイズに形成しておき、便器設置箇所の下地材に設置されている床材パネルに並べて設置することも可能である。この事例を図１９に示してあり、同図において、６は床材パネルを示している。同図のように、この事例では、床材パネル６を下地材の表面Ｂに並べて敷き詰めるときに、足置き台Ａの足置き構造体２を一体に有するベース体１を、それらの床材パネル６に並べて敷き詰めてある。このものは、新設便所に対して好適に採用することが可能である。
【図面の簡単な説明】
【００３２】
【図１】本考案の実施形態に係る足置き台の平面図である。
【図２】図１のＩＩ矢視方向から見た拡大正面図である。
【図３】図１の足置き台の裏面図である。
【図４】図１のＩＶ−ＩＶ線に沿う部分の拡大断面図である。
【図５】変形例による足置き台の平面図である。
【図６】別の変形例による足置き台の平面図である。
【図７】さらに別の変形例による足置き台の平面図である。
【図８】さらに別の変形例による足置き台の平面図である。
【図９】さらに別の変形例による足置き台の平面図である。
【図１０】さらに別の変形例による足置き台の平面図である。
【図１１】さらに別の変形例による足置き台の平面図である。
【図１２】さらに別の変形例による足置き台の平面図である。
【図１３】さらに別の変形例による足置き台の平面図である。
【図１４】足置き台の設置状態を例示した平面図である。
【図１５】（Ａ）は足置き台の他の設置状態を例示した平面図、（Ｂ）は同正面図である。
【図１６】（Ａ）足置き台のさらに他の設置状態を例示した平面図、（Ｂ）は同正面図である。
【図１７】足置き台のさらに他の設置状態を例示した平面図である。
【図１８】足置き台のさらに他の設置状態を例示した平面図である。
【図１９】ベース体を便器設置箇所の下地材に床材パネルと並べて設置した事例の正面図である。
【符号の説明】
【００３３】
Ａ  足置き台
１  ベース体
２  足置き構造体
３  リブ
４  溝条
【図１】
0003126231.tif 000003
【図２】
0003126231.tif 000004
【図３】
0003126231.tif 000005
【図４】
0003126231.tif 000006
【図５】
0003126231.tif 000007
【図６】
0003126231.tif 000008
【図７】
0003126231.tif 000009
【図８】
0003126231.tif 000010
【図９】
0003126231.tif 000011
【図１０】
0003126231.tif 000012
【図１１】
0003126231.tif 000013
【図１２】
0003126231.tif 000014
【図１３】
0003126231.tif 000015
【図１４】
0003126231.tif 000016
【図１５】
0003126231.tif 000017
【図１６】
0003126231.tif 000018
【図１７】
0003126231.tif 000019
【図１８】
0003126231.tif 000020
【図１９】
0003126231.tif 000021